(57)【特許請求の範囲】
【請求項１】
磁気テープのコントロールトラックからコントロール信号の検出をコントロールヘッドを介して行うとともにその検出されたコントロール信号に同期した頭出し用のマークの書き込みを行うための回路を備えた磁気記録装置において、
前記回路は前記コントロール信号を検出する検出用期間の直前に前記コントロールヘッドの両端子をハイインピーダンスとすることを特徴とする磁気記録装置。
【発明の詳細な説明】
【０００１】
【発明の属する技術分野】
本発明はＶＴＲ等の磁気テープのコントロールトラックに頭出し用のマークを記録する磁気記録装置に関するものである。このような頭出し用のマークをテープに記録する方式として、映像及びコントロール信号がすでに記録された後にコントロール信号を検出してマークを記録する方式と、映像を記録するときにコントロール信号をコントロールトラックに記録するときに同時にマークを記録するようにする方式があるが、本発明は前者の方式に関する。
【０００２】
【従来の技術】
図３はビデオテープ３０に信号が記録された状態を模式的に示す図である。この図３に示すように、ビデオテープ３０には映像信号が記録されたビデオトラックＲ１とコントロール信号を記録するためのコントロールトラックＲ２とが設けられている。コントロール信号はビデオトラックＲ１の位置の基準を示す信号であり、ビデオテープを走行させるキャプスタンの制御に用いられる。
【０００３】
図４はビデオテープ３０のコントロールトラックＲ２に記録されているコントロール信号の一部を示す波形図である。コントロール信号はビデオテープにはコントロールヘッドを用いて記録されている。このコントロール信号は波形的には方形波である。通常の録画期間Ｋ１では方形波はデューティ比が６２．５％である。これに対して、前記マークの書き込みはデューティ比を２７．５％に変更することにより行われる。図４において、Ｋ２はデューティ比２７．５％のパルス列から成る頭出しマーク期間となっている。
【０００４】
また、前記マーク期間はテープの頭出しを行うときに前記コントロールヘッドで読み落としがないように３２個又は６４個等の多数の方形波（デューティ比２７．５％）が連続して書き込まれる。また、ビデオテープレコーダはコントロール信号の検出を前記方形波の立ち上がりエッジを検出することにより行っているので、マークが書き込まれている期間Ｋ２でも通常の録画期間Ｋ１と同様にビデオテープの走行をコントロールすることができる。
【０００５】
図５はビデオテープレコーダがコントロールヘッドを介してコントロールトラックＲ２に頭出しマークの書き込みを行うときの動作を示す波形図である。図５（ａ）は映像の録画時にビデオテープに書き込まれるコントロール信号である。（ｂ）はコントロールヘッドで読み出される再生信号である。（ｃ）はマークの書き込みを行うときのコントロールヘッドの＋端子に与えられる電圧の変化を示す。（ｄ）はマークの書き込みを行うときにコントロールヘッドの−端子に与えれる電圧の変化を示す。
【０００６】
マークの書き込みを行う際には、まずビデオテープレコーダはコントロール信号を検出する検出用期間Ｌ２を設けて、コントロールヘッドの＋端子（一方の端子）及び−端子（他方の端子）を一定の電圧に保ち、（ａ）に示すコントロール信号では方形波の立ち上がりエッジを検出する。この期間Ｌ２の直前にはコントロールヘッドの状態を安定に保ちつつ検出用期間Ｌ２に動作を変化させるための安定期間Ｌ１が設けられる。
【０００７】
【発明が解決しようとする課題】
上記従来のビデオテープレコーダでは検出用期間Ｌ２の直前にコントロールヘッドの＋端子及び−端子で残留電位差が生じないように両者の電位を同一に保つ安定期間Ｌ１を設けているが、電源電圧の漏れ電流等のためにこのコントロールヘッドの＋端子及び−端子間の両者の電圧が完全に一致するとは限らず電位差が生ずる場合がある。そして、この電位差によってコントロールヘッドのコイルに電流が流れてビデオテープのコントロールトラックＲ２にノイズが記録されてしまう可能性があった。そのため、上記従来のビデオテープレコーダでは、このようなノイズによって（ｂ）に示す再生信号のノイズ５０をコントロール信号として誤検出してしまい、ビデオテープの走行ずれの補正を正確に行うことができなくなり、再生された画像が乱れてしまう。
【０００８】
本発明は上記課題を解決するもので、磁気テープ上に頭出し用のマークを書き込む際にコントロールヘッドの＋端子と−端子の間に電流が流れにくくなるようにすることにより誤動作するのを防ぐことのできる磁気記録装置を提供することを目的とする。
【０００９】
【課題を解決するための手段】
上記目的を達成するために、本発明では、磁気テープのコントロールトラックからコントロール信号の検出をコントロールヘッドを介して行うとともにその検出されたコントロール信号に同期した頭出し用のマークの書き込みを行うための回路を備えた磁気記録装置において、前記回路は前記コントロール信号を検出する検出用期間の直前に前記コントロールヘッドの両端子をハイインピーダンスとしている。
【００１０】
このような構成によると、磁気記録装置はコントロールトラックに頭出し用のマークを書き込むときには、コントロール信号を検出する検出用期間の直前にコントロールヘッドを例えばそのヘッドの両端子を回路から遮断することによりハイインピーダンスとしているので、コントロールヘッドに電流が流れにくくなっている。そのため、ノイズが磁気テープに書き込まれることがことがないようになっている。
【００１１】
【発明の実施の形態】
以下、本発明の実施形態について説明する。図１は本実施形態のビデオテープレコーダ（磁気記録装置）の主要部の回路図である。ビデオテープレコーダはビデオテープのコントロールトラックＲ２（図３参照）からコントロールヘッド１を介してコントロール信号の検出を行うとともに頭出し用のマークの書き込みを行うための回路を備える。前記回路は集積化されてＩＣ（Ｉｎｔｅｇｒａｔｅｄ  Ｃｉｒｃｕｉｔ）となっている。コントロールヘッド１は一端が前記ＩＣの端子２に接続され、他端が前記ＩＣの端子３に接続されている。端子２には外来ノイズ（静電圧等）からＩＣを保護するための保護回路４が接続されている。保護回路４は端子２からの正の静電気をＩＣの電源電圧路に逃がすためのダイオードＤ１と、端子２からの負の静電気をグランドに逃がすためのダイオードＤ２から成る。端子３にも保護回路４と同様の構成の保護回路５が接続されている。
【００１２】
タイミング回路１３はスイッチ信号ＳＷ３、ＳＷ４をマイクロコンピュータ等の制御回路２９から入力し、所定のデジタル信号を生成してＤ／Ａ変換回路１２に出力する。そして、Ｄ／Ａ変換回路１２はタイミング回路１３の出力のＤ／Ａ変換を行ってアナログ信号を出力する。このアナログ信号は増幅回路１０の反転入力端子（−）に入力される。増幅回路１０の非反転入力端子（＋）には一定のバイアス信号（ＢＩＡＳ）が入力される。増幅回路１０の出力側から反転入力端子（−）には抵抗１１を介して接続されている。これにより、増幅回路１０はバッファとして機能する。
【００１３】
そして、増幅回路１０の出力電圧はＰチャネル型ＭＯＳトランジスタ６のソース及びＰチャネル型ＭＯＳトランジスタ８のソースに入力される。トランジスタ６のドレインはＮチャネル型ＭＯＳトランジスタ７のドレインに接続され、トランジスタ７のソースは接地されている。また、トランジスタ８のドレインはＮチャネル型ＭＯＳトランジスタ９のドレインに接続され、トランジスタ９のソースは接地されている。トランジスタ６、７、８、９のゲートは制御回路２９に接続されており、制御回路２９によってトランジスタ６、７、８、９はオン／オフ制御される。トランジスタ６と７の接続中点は端子２に接続されている。また、トランジスタ８と９の接続中点は端子３に接続されている。
【００１４】
これにより、頭出し用のマークをビデオテープに記録するときには制御回路２９によるトランジスタ６、７、８、９のオン／オフ制御により増幅回路１０より出力される電圧を端子２又は端子３を通してコントロールヘッド１に与える。例えば制御回路２９からの制御信号によりトランジスタ６がＯＮで、トランジスタ７がＯＦＦのときは増幅回路１０の出力がトランジスタ６を通して端子２へ導出され、コントロールヘッド１の一端に印加される。このとき、制御回路２９からの制御信号によりトランジスタ８がＯＦＦで、トランジスタ９がＯＮとなっているので、コントロールヘッド１の他端は端子３からトランジスタ９を通してグランドに結合される。前記トランジスタ６〜９、回路１０、１２、１３、２９はコントロールトラックＲ２の信号書き込み回路を構成しているが、ＩＣ回路には、この書き込み回路以外に、コントロール信号の読み取りを行う検出回路も設けられている。
【００１５】
そのため、端子２にはスイッチ２５が接続されている。スイッチ２５は制御回路２９から与えられるスイッチ信号ＳＷ１によってオン／オフ制御され、スイッチ２５を通過した信号はノードｎ２に送られるようになっている。端子３にはスイッチ２６が接続されている。スイッチ２６もスイッチ信号ＳＷ１によってオン／オフ制御され、スイッチ２６を通過した信号はノードｎ１に送られるようになっている。ノードｎ１とｎ２は抵抗１８によって接続されている。また、ノードｎ１とｎ２はスイッチ２７を介して接続されている。スイッチ２７はスイッチ信号ＳＷ１を反転した信号ＳＷ１Ｂによってオン／オフ制御される。
【００１６】
ノードｎ１は入力端子１４に接続されている。入力端子１４にはＩＣ保護のために保護回路４と同様の構成の保護回路１５が接続されている。さらに、ノードｎ１は抵抗１６を介して電源電圧に接続され、また、抵抗１７を介して接地されている。ノードｎ２は増幅回路２２の非反転入力端子（＋）に接続されている。そして、増幅回路２２の反転入力端子（−）は抵抗２１を介して入力端子１９に接続されている。入力端子１９には保護回路４と同様の構成の保護回路２０が接続されている。前記入力端子１４、１９は増幅回路２２にバイアス電圧を与えるための端子である。
【００１７】
増幅回路２２の出力側と反転入力端子（−）側との間に可変抵抗２８が接続されている。この増幅回路２２及び可変抵抗２８は制御回路２９から与えられるスイッチ信号ＳＷ２によって動作する。増幅回路２２の出力側は出力端子２４に接続されている。また、出力端子２４にはＩＣ保護のために保護回路４と同様の構成の保護回路２３が接続されている。出力端子２４よりコントロールヘッド１で検出されたコントロール信号が出力される。
【００１８】
図２は本実施形態の動作を示す波形図である。前述のようにビデオテープのコントロールトラックＲ２にはコントロール信号が記録されており、（ａ）はコントロールヘッド１で検出されるコントロール信号の立ち上がりエッジである。（ｂ）はスイッチ信号ＳＷ２であり、ハイレベルであるときに可変抵抗２８の抵抗を強制的に最小とすることにより増幅回路２２の出力を強制的に禁止し、ローレベルのときに抵抗２８を所定の抵抗値として、増幅回路２２の出力を可能にしている。（ｃ）はＩＣ内部で作成された傾斜部のタイミング（ＣＴＬＣ）を示すものである。
【００１９】
（ｄ）はスイッチ信号ＳＷ３である。（ｅ）はスイッチ信号ＳＷ４である。（ｆ）はスイッチ信号ＳＷ１である。（ｇ）はビデオテープ上のコントロール信号のＤＵＴＹ（以下「信号ＤＵＴＹ」という）である。（ｈ）は端子２よりコントロールヘッド１に出力される信号ＲＥＣＣＴＬ＋である。（ｉ）は端子３よりコントロールヘッド１に出力される信号ＲＥＣＣＴＬ−である。
【００２０】
本実施形態の動作を図１及び図２を用いて説明する。タイミング回路１３に信号ＳＷ３、ＳＷ４が入力されると、このタイミング回路１３は図２（ｃ）に示すような信号ＣＴＬＣを出力する。即ち、スイッチ信号ＳＷ３とＳＷ４が共にハイレベルの期間に傾斜部分をもつ逆台形の波形をした信号ＣＴＬＣを出力する。この信号は図２ではアナログ形で示しているが、実際にはデジタル量であるので、次のＤ／Ａ変換回路１２でアナログ量に変換することによって、図２（ｃ）に示すような波形となる。この信号ＣＴＬＣはバッファ（増幅回路１０）を通してトランジスタ６と８のソースに印加される。
【００２１】
一方、制御回路２９の制御によって図２に示すｔ２までの期間では、トランジスタ６と９がＯＦＦでトランジスタ７と８がＯＮとなるので、端子２と３の電圧はそれぞれ図２（ｈ）（ｉ）のように、端子２がグランドレベル、端子３側にバッファからの電圧が現れる。このとき、時点ｔ２よりも前の時点ｔ１でスイッチ信号ＳＷ３がローレベルからハイレベルとなっているため、時点ｔ１からｔ２までの期間では信号ＣＴＬＣは傾斜区間となり、信号ＲＥＣＣＴＬ−はハイレベルからローレベルに徐々に変化する。このとき、ヘッド１には端子２より端子３に消去電流Ｉ２が流れる。傾斜区間は端子２、３の電圧が急激に変化することによってノイズがテープに書き込まれてしまうことを防ぐために設けられている。
【００２２】
時点ｔ２になると、スイッチ信号ＳＷ４がハイレベルからローレベルとなり、信号ＣＴＬＣはローレベルとなる。そして、時間ｔ２からｔ３までの期間（Ｔ２＋Ｔ３）に、制御回路２９の制御によってトランジスタ６〜９が全てＯＦＦにされる。その結果、端子２側も端子３側も電気的に浮いた状態になり、端子２と３の間に電位差が生じない。その結果、ヘッド１には電流が流れない。しかし、この期間にテープ上のコントロール信号部分がヘッド１に対設することにより、そのコントロール信号の立ち上がりエッジに同期してパルス状の電圧がヘッド１から出力される（ＰＢＣＴＬ）。そして、ＣＴＬＣがローレベルの期間において、ｔ２から端子２と３の状態を安定に保つ安定期間Ｔ２を経過した後に、スイッチ信号ＳＷ１がハイレベルとなることによって、スイッチ２５、２６がＯＮし、スイッチ２７がＯＦＦする。これにより、コントロールヘッド１で検出された信号がノードｎ１、ｎ２に送られるようになる。
【００２３】
さらに、スイッチ信号ＳＷ２がローレベルとなっているときにこのコントロール信号の立ち上がりエッジ検出信号は出力端子２４へ導出される。なお、テープ上に記録されているコントロール信号は図２（ｇ）のＷ１期間は何ら影響を受けず、次のＷ２は後述するように書き込み電流Ｉ１が流れる。また、Ｗ３の期間は消去電流Ｉ２が流れる。Ｗ４の期間は電流Ｉ１、Ｉ２とも流れない。Ｗ５の期間もＩ１、Ｉ２は流れない。次のＷ６は書き込み電流Ｉ１が流れる。Ｗ７は消去電流Ｉ２が流れる。そして、（Ｗ５＋Ｗ６）の期間はデューティ比が低い信号となる。これは元のコントロール信号が書き換えられたこととになる。この書き換えは所定の回数繰り返して行われる。立ち上がりエッジ３１が検出された時に、エッジ３１の検出から制御回路２９では内蔵のカウンタを動作させる。
【００２４】
時点ｔ３でスイッチ信号ＳＷ４がハイレベルとなり、スイッチ信号ＳＷ１がローレベルに変化する。また、それ以前にスイッチ信号ＳＷ２をローレベルからハイレベルに変化させておく。トランジスタ６と９がＯＮでトランジスタ７と８がＯＦＦとなるので端子２側にバッファからの電圧が現れ、端子３がグランドレベルとなる。ｔ３からｔ４までの期間は信号ＣＴＬＣについて傾斜区間となているため、信号ＲＥＣＣＴＬ＋はローレベルからハイレベルに徐々に変化する。その後ｔ４の時点で信号ＲＥＣＣＴＬ＋はハイレベルとなり、信号ＲＥＣＣＴＬ−はローレベルとなる。このとき、コントロールヘッド１には端子２から端子３に書き込み電流Ｉ１が流れる。ビデオテープのコントロールトラックＲ２にデューティ比が６２．５％となるように、期間Ｔ１の途中の時点ｔａでトランジスタ６と９をＯＦＦし、トランジスタ７と８をＯＮする。このとき、コントロールヘッド１には消去電流Ｉ２が流れる。これにより、信号ＤＵＴＹはハイレベルからローレベルとなる。
【００２５】
制御回路２９は一定のカウンタ値で同期をとって、ｔ５の時点でスイッチ信号ＳＷ３をローレベルからハイレベルとする。これにより、信号ＣＴＬＣはハイレベルからローレベルまで変化する傾斜区間となる。その後、ｔ６の時点でスイッチ信号ＳＷ４がローレベルとなる。そして、制御回路２９の制御によりトランジスタ６〜９は全てＯＦＦされることにより安定期間Ｔ２となる。そして、スイッチ信号ＳＷ１がハイレベルとなり、さらにスイッチ信号ＳＷ２がローレベルとなって、コントロール信号の立ち上がりエッジを検出する検出用期間Ｔ３となる。期間Ｔ３で立ち上がりエッジ３２が検出されると、制御回路２９はカウンタを動作させる。
【００２６】
ｔ７の時点で期間Ｔ３は終了し、制御回路２９はスイッチ信号ＳＷ４をハイレベルに変化させスイッチ信号ＳＷ１をローレベルに変化させる。また、ｔ７の以前にスイッチ信号ＳＷ２をハイレベルに変化させる。これにより、ｔ７からｔ８までの期間は信号ＣＴＬＣについて傾斜区間となっている。トランジスタ６と９がＯＮでトランジスタ７と８がＯＦＦとなるので端子２側にバッファからの電圧が現れ、端子３がグランドレベルとなる。その後ｔ８の時点で信号ＲＥＣＣＴＬ＋はハイレベルとなり、信号ＲＥＣＣＴＬ−はローレベルとなる。このとき、コントロールヘッド１には書き込み電流Ｉ１が流れる。
【００２７】
マークを記録するときには信号ＤＵＴＹのデューティ比が２７．５％となる時点ｔｂでトランジスタ６、９をＯＦＦし、トランジスタ７、８をＯＮする。これにより、信号ＲＥＣＣＴＬ＋がハイレベルからローレベルに変化し、信号ＲＥＣＣＴＬ−がローレベルからハイレベルに変化するのでヘッド１には消去電流Ｉ２が流れる。その時点ｔｂで信号ＤＵＴＹがハイレベルからローレベルとなる。その後、コントロールヘッド１により信号ＤＵＴＹがローレベルとなるため、もともとビデオテープのコントロールトラックＲ２に書き込まれていたコントロール信号は消去される。なお、マークの書き換えはコントロール信号の任意の立ち上がりエッジに対して行うことができる。
【００２８】
したがって、本実施形態のビデオテープレコーダはコントロール信号の立ち上がりエッジを検出する検出用期間Ｔ３の直前にトランジスタ６、７、８、９及びスイッチ２５、２６をオフすることにより、コントロールヘッド１の両端子２、３がハイインピーダンスとなる期間Ｔ２を設けているためにコントロールヘッド１に電流が流れることがなくなるのでビデオテープにノイズが書き込まれることがなくなる。これにより、ノイズによる誤検出がなくなり、ビデオテープレコーダは再生画像の乱れを防止することができる。また、安定期間Ｔ２を十分に長くとると、ビデオテープにノイズが記録されてしまうのを防ぐことのできる期間を長くすることができる。
【００２９】
【発明の効果】
以上説明したように、本発明の磁気記録装置はコントロール信号を検出するための検出用期間の直前にコントロールヘッドの両端子をハイインピーダンスとしているのでその時にはコントロールヘッドに電流が流れにくくなり、ノイズが磁気テープに書き込まれない。そのため、ノイズによるコントロール信号の誤検出によって映像の再生画面が乱れるという不具合が払拭される。
【図面の簡単な説明】
【図１】本発明の一実施形態のビデオテープレコーダの主要部の回路図。
【図２】そのビデオテープレコーダの動作を示す波形図。
【図３】ビデオテープの構成図。
【図４】そのビデオテープのコントロールトラックに記録されるコントロール信号の波形図。
【図５】従来のビデオテープレコーダの動作を示す波形図。
【符号の説明】
１    コントロールヘッド
２    ＋端子
３    −端子
４    保護回路
５    保護回路
６    Ｐチャネル型ＭＯＳトランジスタ
７    Ｎチャネル型ＭＯＳトランジスタ
８    Ｐチャネル型ＭＯＳトランジスタ
９    Ｎチャネル型ＭＯＳトランジスタ
１０    増幅回路
１１    抵抗
１２    Ｄ／Ａ変換回路
１３    タイミング回路
１４    入力端子
１５    保護回路
１６    抵抗
１７    抵抗
１８    抵抗
１９    入力端子
２０    保護回路
２１    抵抗
２２    増幅回路
２３    保護回路
２４    出力端子
２８    可変抵抗
２９    制御回路
【図１】
0003568779.tif 000002
【図２】
0003568779.tif 000003
【図３】
0003568779.tif 000004
【図４】
0003568779.tif 000005
【図５】
0003568779.tif 000006